(57)【要約】【課題】側突用エアバッグ装置をシートに組み込んでいるにも係わらず、左右共用のパッドを備えることで、原価低減を図ると共にトリムがぶかぶかしない乗り物用シートを提供する。【解決手段】左右何れか一方に側突用エアバッグ装置４が配されると共に左右何れか他方に前記側突用エアバッグ装置４と同じ大きさの物入れ５が配されてなるフレーム７と、該フレーム７を覆うと共に前記エアバッグ装置４及び物入れ５の配される部位に同じ大きさの開口８，９が形成されてなるパッド１０と、該パッド１０を覆うトリム１１とより少なくとも構成されてなるシートクッション及び又はシートバック２を備えてなる。【選択図】　　　図３
2004114830.tif 000002
【特許請求の範囲】
【請求項１】
左右何れか一方に側突用エアバッグ装置が配されると共に左右何れか他方に前記側突用エアバッグ装置と同じ大きさの物入れが配されてなるフレームと、該フレームを覆うと共に前記エアバッグ装置及び物入れの配される部位に同じ大きさの開口が形成されてなるパッドと、該パッドを覆うトリムとより少なくとも構成されてなるシートクッション及び又はシートバックを備えてなることを特徴とする乗り物用シート。
【請求項２】
請求項１に記載の乗り物用シートであって、
前記物入れの外側には、前記パッドの外面と略同面上のリッドが配されてなることを特徴とする乗り物用シート。
【発明の詳細な説明】
【０００１】
【発明の属する技術分野】
この発明は、自動車、船舶、航空機、車両などの乗り物用シート、特に側突用エアバッグ装置を備えた乗り物用シートの構造に関する。
【０００２】
【従来の技術】
従来の側突用エアバッグ装置を備えた乗り物用シートとしては、例えば、運転席側にあっては、運転席とドアトリムとの間から側突用エアバッグ装置のバッグ本体が膨張可能なるようにシートの左右方向でドアトリム側（車両外側）にのみ側突用エアバッグ装置が配されている（例えば、特許文献１，２）
【０００３】
【特許文献１】
特開平８−１５６６６７号公報（要約、図１，図２参照。）。
【特許文献２】
特開平８−１５６６６８号公報（要約、図１乃至図８参照。）。
【０００４】
【発明が解決しようとする課題】
しかしながら、このような従来の技術にあっては、シートから前記側突用エアバッグ装置が張り出している場合が多く、見栄えの向上のために、シートの中に側突用エアバッグ装置を組み込むタイプが提案されている。ところが、シートの中に組み込んだ側突用エアバッグ装置は、バッグ本体の膨張時の荷重に耐え得るようにフレームに直接支持してなるため、該フレームを覆うパッドのドアトリム側（車両外側）のみには、側突用エアバッグ装置を逃げた開口を形成せねばならないので左右共用ができない。左右とも開口を形成されてなると、側突用エアバッグ装置が設けられていない側の開口を覆うトリムがぶかぶかになり、皺が発生するおそれがある。
【０００５】
そこで、この発明は、このような従来の技術に着目してなされたものであり、側突用エアバッグ装置をシートに組み込んでいるにも係わらず、左右共用のパッドを備えることで、原価低減を図ると共にトリムがぶかぶかしない乗り物用シートを提供するものである。
【０００６】
【課題を解決するための手段】
請求項１に記載の発明は、左右何れか一方に側突用エアバッグ装置が配されると共に左右何れか他方に前記側突用エアバッグ装置と同じ大きさの物入れが配されてなるフレームと、該フレームを覆うと共に前記エアバッグ装置及び物入れの配される部位に同じ大きさの開口が形成されてなるパッドと、該パッドを覆うトリムとより少なくとも構成されてなるシートクッション及び又はシートバックを備えてなる。
【０００７】
請求項１に記載の発明によれば、パッドには、左右とも同じ大きさの開口が形成されてなり、一方の開口に側突用エアバッグ装置を備え、他方の開口に側突用エアバッグ装置と同じ大きさの物入れを設けることで、パッドは左右対称になり、大量生産ができるので、製造原価が低減できる。また、側突用エアバッグ装置が支持されていない側のパッドの開口には物入れが配されることで、トリムがぶかぶかとならず、皺の発生が生じないことになる。
【０００８】
請求項２に記載の発明は、請求項１に記載の乗り物用シートであって、前記物入れの外側には、前記パッドの外面と略同面上のリッドが配されてなる。
【０００９】
請求項２に記載の発明によれば、請求項１の効果に加え、リッドがパッドの外面と略同面上になるので、一体感を乗員に与え、質感が向上する。
【００１０】
【発明の実施の形態】
以下、この発明の好適な実施形態を図面に基づいて説明する。尚、ＦＲを前側として説明する。
【００１１】
図１乃至図５は、この発明の一実施形態を示すもので、符号１は、「乗り物」としての自動車のシートで、図示しない乗員が着座可能な周知のシートクッションと、乗員が凭れ係り可能なシートバック２と、該シートバック２の上端部に支持されてなるヘッドレスト３とより少なくとも構成されてなる。「少なくとも構成されてなる」とは、この他に、前記シートクッションの前後位置を調節自在なるスライド装置、前記シートバック２をシートクッションに対して前後方向に傾き可能なるリクライニング装置など数多くの構成部材が有るからであるが、周知であるので、図示及び説明を省略した。
【００１２】
前記シートバック２は、右側ＲＨに側突用エアバッグ装置４が配されて固定されると共に左側ＬＨに前記側突用エアバッグ装置４と同じ大きさの物入れ５がブラケット６を介在して配されて固定されるフレーム７と、該フレーム７を覆うと共に前記側突用エアバッグ装置４及び物入れ５の配される部位に同じ大きさの開口８、９が形成されてなるポリウレタンフォームよりなるパッド１０と、該パッド１０を覆う布材やポリ塩化ビニルよりなるトリム１１とより少なくとも構成されてなる。
【００１３】
前記物入れ５の外側、即ち、この実施例では左側ＬＨには、前記パッド１０の外面１０ａと略同面上の合成樹脂製のリッド１２が配されてなり、ヒンジ１３により図３に二点鎖線で示したように、前側ＦＲが開くようになっている。
【００１４】
前記側突用エアバッグ装置４は、図３に示すように、フレーム７の右側ＬＨのサイドフレーム７ａに支持されていて、側面衝突を図示しないセンサが検知した時に、図示しないインフレータが高圧ガスをバッグ本体内に噴出し、バッグ本体が前記リッド１２と同じように開いて、トリム１１を開裂して、ドアトリムと乗員との間に膨張展開することで、乗員を保護するようになっている。
【００１５】
前記物入れ５は、左側ＬＨに開口して、ロック装置５ａにより常時はリッド１２が閉じた状態に保持されている。この物入れ５はブラケット６を介在しているが、無くても良い。前記側突用エアバッグ装置４と同じ取付手段によりフレーム７の左側のサイドフレーム７ｂに支持されている。
【００１６】
前記フレーム７は、前記サイドフレーム７ａ，７ｂと、アッパフレーム７ｃと、ロアフレーム７ｄとより方形状に形成されてなる。
【００１７】
次に、この実施形態に係る作用を説明する。
【００１８】
パッド１０には、左右とも同じ大きさの開口８，９が形成されてなり、右側ＲＨの開口８に側突用エアバッグ装置４を備え、左側ＬＨの開口９に側突用エアバッグ装置４と略同じ大きさの物入れ５を設けることで、パッド１０は左右対称になり、大量生産ができるので、製造原価が低減できる。また、側突用エアバッグ装置４が支持されていない側のパッド１０の開口９には物入れ５が配されることで、トリム１１がぶかぶかとならず、皺の発生が生じないことになる。
【００１９】
前記物入れ５の外側には、前記パッド１０の外面１０ａと略同面上のリッド１２が配されてなることで、シート１と一体感を乗員に与え、質感が向上する。
【００２０】
前記実施形態は、シートバック２の右側ＲＨに側突用エアバッグ装置４を備え、シートバック２の左側ＬＨに側突用エアバッグ装置４と略同じ大きさの物入れ５を設ける例を示したが、この実施形態に限定される物ではなく、左側ＬＨに側突用エアバッグ装置４を備え、右側ＲＨに側突用エアバッグ装置４と略同じ大きさの物入れ５を設けるものであっても良い。
【００２１】
また、前記実施形態は、側突用エアバッグ装置４及び側突用エアバッグ装置４と略同じ大きさの物入れ５を設けるものとしてシートバック２に限定した例を示したが、シートバック２ではなく、図示しない周知のシートクッションに設けても良いし、シートバック２とシートクッション共に設けても良い。
【００２２】
【発明の効果】
請求項１に記載の発明によれば、パッドには、左右とも同じ大きさの開口が形成されてなり、一方の開口に側突用エアバッグ装置を備え、他方の開口に側突用エアバッグ装置と同じ大きさの物入れを設けることで、パッドは左右対称になり、大量生産ができるので、製造原価が低減できる。また、側突用エアバッグ装置が支持されていない側のパッドの開口には物入れが配されることで、トリムがぶかぶかとならず、皺の発生が生じないことになる。
【００２３】
請求項２に記載の発明によれば、請求項１の効果に加え、リッドがパッドの外面と略同面上になるので、一体感を乗員に与え、質感が向上する。
【図面の簡単な説明】
【図１】この発明の一実施形態に係るシートの斜視図。
【図２】図１のリッドを開いた状態の斜視図。
【図３】図１のＳＡ−ＳＡ線に沿った断面図。
【図４】図３の構成部材の分解斜視図。
【図５】図４のＳＢ−ＳＢ線に沿った断面図。
【符号の説明】
１　「乗り物」としての自動車のシート
２　シートバック
４　側突用エアバッグ装置
５　物入れ
７　フレーム
８，９　開口
１０　パッド
１１　トリム
１２　リッド
ＦＲ　前側
ＲＨ　右側
ＬＨ　左側
【図１】
2004114830.tif 000003
【図２】
2004114830.tif 000004
【図３】
2004114830.tif 000005
【図４】
2004114830.tif 000006
【図５】
2004114830.tif 000007